(57)【要約】【課題】煩雑な精密調整を要することなく容易にドアに取付けることができるにもかかわらず、十分なストッパ機能を確保することができるドアストッパを提供する。【解決手段】ドア取付板部に枢支される脚部５の先端に有底筒状のストッパゴム６が套嵌されたドアストッパ６において、ストッパゴム６の横断面外形状および底面形状が正ｎ角形（ｎ≧５）であり、ストッパゴム６の各側面６ａの底辺６ｂと前記底面６ｃとの間に緩やかに傾斜した平面又は凸状曲面１２を形成する。【選択図】  図４
2004308311.tif 000002
【特許請求の範囲】
【請求項１】
ドア取付板部に枢支される脚部の先端に有底筒状のストッパゴムが套嵌されたドアストッパにおいて、ストッパゴムの横断面外形状および底面形状が正ｎ角形（ｎ≧５）であり、ストッパゴムの各側面の底辺と前記底面との間に緩やかに傾斜した平面又は凸状曲面が形成されていることを特徴とするドアストッパ。
【請求項２】
ストッパゴムの内側空間底部の周縁部が肉厚部となっている請求項１記載のドアストッパ。
【発明の詳細な説明】
【０００１】
【発明の属する技術分野】
本発明は、ドアを開状態に保つためのドアストッパに関するものである。
【０００２】
【従来の技術】
家の玄関に取付けられる開閉ドアの上部には、ドアの開閉動を補助するために、油圧力やばね力によって付勢するドアクローザが取付けられている。そして、従来から、ドアを開状態に保つものとして、図６に示すようなドアストッパ２１が知られている。ドアストッパ２１は、ドア２２の側面にタッピングねじ又は接着剤などの手段によって取付けられるドア取付板部２３と、このドア取付板部２３の軸支持片２４に備えた枢軸２５によって基端が枢支されるく字状に屈曲する棒状の脚部２６とから構成されている。また、前記脚部２６の先端にはストッパゴム２７が套嵌されており、このストッパゴム２７は、底面が平面の円錐台形状に形成され、上面に前記脚部が嵌入する凹部が前記脚部の外周径と略同一大に形成される。また軸支持片２４には脚部２６が枢軸２５を軸に上方に回動した際に、脚部２６を係止してその状態を保持する係止手段２８が設けられている。そして、ドア２２を開状態に保つ場合は、脚部２６を枢軸２５を軸に自重により下方に回動させて、ストッパゴム２７を床に接触させると、ドアストッパ２１はドア２２の突っ張り棒としての役割を果たす。またドア２２を開状態から開放する場合は、脚部２６を枢軸２５を軸に上方に回動させて、脚部２６を係止手段２８に係止させればよい。（特許文献１参照。）。
【０００３】
【特許文献１】
実公平７−１２５９０号公報
【０００４】
【発明が解決しようとする課題】
従来のドアストッパは、ストッパ機能を有効にするには、ストッパゴムが床に接地したときにストッパゴムの底面が床面に全面的に接触する必要があった。しかし、その脚部は屈曲位置や屈曲角度が定められているため、上記機能を有効とするには、ドアストッパの取付位置の上下調整や、ドアと床面との位置関係を精密に調整する必要があり、この調整作業は煩雑なものであるという問題があった。一方、調整作業を怠った場合、ストッパゴムと床との接地状態は図７の（ａ）、（ｂ）に示すように、底面が床面に全面接触せず、底面の円周上の１点のみの接触、すなわち点接触となり、十分なストッパ機能を得ることができないという問題があった。
【０００５】
本発明は上記問題点に鑑み、煩雑な精密調整を要することなく容易にドアに取付けることができ、十分なストッパ機能を得ることができるドアストッパを提供することを目的とする。
【０００６】
【課題を解決するための手段】
本発明は上記問題を解決するため、ドア取付板部に枢支される脚部の先端に有底筒状のストッパゴムが套嵌されたドアストッパにおいて、ストッパゴムの横断面外形状および底面形状が正ｎ角形（ｎ≧５）であり、ストッパゴムの各側面の底辺と前記底面との間に緩やかに傾斜した平面又は凸状曲面が形成されていることを特徴とする。
【０００７】
本発明において、ストッパゴムの各側面の底辺の１つを枢軸の軸方向に平行に配すれば、ストッパゴムの底面が床面に全面的に接触しえない場合でも、底辺と底面との間に形成された緩やかに傾斜した平面又は凸状曲面において、床面との間の接触面積をある程度大きく確保することができる。このため、本発明のドアストッパは、煩雑な精密調整を要することなく容易にドアに取付けて、底面が床面に全面接触しない場合であっても、十分なストッパ機能を得ることができる。
【０００８】
また、ストッパゴムの内側空間底部の周縁部に肉厚部を形成すると好適である。これによりストッパゴムが接地した際に、肉厚部のゴムの変形量が大きいため、ストッパゴムと床の接触面のなじみがよくなり、ストッパ機能をより確実ならしめることができる。
【０００９】
【発明の実施の形態】
以下に本発明の実施形態を図１〜図５に基づいて詳細に説明する。
【００１０】
本実施形態のドアストッパ１は、家の玄関などに備えた外開きのドア２の側面に取付けられる。その具体的な取付位置は、ドア２の開方向と反対側の側面３の外側下部に取付けられる。
【００１１】
前記ドアストッパ１は、図１、図２に示すように、ドア２の側面３にタッピングねじ等で取付けられるドア取付板部４と、前記ドア取付板部４に枢支される脚部５と、前記脚部５の先端５ｂに套嵌されるストッパゴム６から構成されている。
【００１２】
前記ドア取付板部４には、前方に突出する軸支持片８が設けられ、この軸支持片８には脚部５を枢支する枢軸９が備えられている。また図２に示すように、前記軸支持片８には脚部５が枢軸９を軸に上方に回動した際に脚部５を係止してその状態を保持する係止手段１０が設けられている。
【００１３】
前記脚部５は、メッキが施された鉄パイプから成り、く字状棒体に形成されている。脚部５の基端５ａは枢軸９により枢支され、先端５ｂはストッパゴム６が套嵌されている。そしてドア２を開状態に保つ場合は、図１に示すように脚部５を枢軸９を軸に自重により下方に回動させて、ストッパゴム６を床面１１に接地させると、ドアストッパ１はドア２の突っ張り棒としての役割を果たす。またドア２を開状態から開放する場合は、図２に示すように脚部５を枢軸９を軸に上方に回動させて、脚部５を係止手段１０に係止させればよい。
【００１４】
前記ストッパゴム６は、高さ約３ｃｍ、最大径約２．５ｃｍの合成ゴムから成り、図３〜図５に示すように有底筒状でかつ横断面外形状および底面形状が正８角形の８角錐台形状に形成され、各側面６ａの底辺６ｂと底面６ｃとの間に緩やかに傾斜した平面１２が形成されている。
【００１５】
前記平面１２は短辺約５ｍｍ（前記底辺６ｂ）、長辺約１０ｍｍ、高さ約５ｍｍの台形状に形成されている。そして、ストッパゴム６の底面６ｃが床面１１に全面的に接触しえない場合でも、前記平面１２において、接地面の確保を図ることができる。なお、前記緩やかに傾斜した平面１２に代えて、曲率半径が大で緩やかな曲面となる凸状曲面を形成してもよい。
【００１６】
また図４に示すようにストッパゴム６の内側空間６ｄの底部の周縁部には、肉厚部１３が形成されている。この肉厚部１３を形成することで、ストッパゴム６と床面１１が接触した際に、肉厚部１３のゴム変形量が大きいため、ストッパゴム６の底面６ｃが床面１１に全面的に接触しえない場合でも、ストッパゴム６と床面１１の接触面のなじみがよくなり、ストッパ機能をより確実ならしめることができる。
【００１７】
ストッパゴム６は、横断面外形状が正８角形であり、各側面６ａの底辺６ｂの１つが、脚部５の回動方向と垂直方向、すなわち前記枢軸９と平行な方向となるように、ストッパゴム６を脚部５の先端５ｂに套嵌することにより、前記平面１２の床面１１への接触面積を十分に大きくすることができる。なお本実施形態の場合、横断面外形状が正８角形であるが、正ｎ角形（ｎ≧５）の正多角形に形成してもよい。特に正６角形、正１０角形、正１２角形のようにｎを偶数倍とすると、図７に示すいずれの場合、すなわち（ａ）に示すようにドアストッパ１を所望高さより若干高い位置に取付てしまった場合、あるいは（ｂ）に示すように所望高さより若干低く取付けてしまった場合でも、前記底辺６ｂおよび前記平面１２と床面１１との線・面接触によるストッパ機能を常に期待できる。また、ストッパゴム６の脚部５に対する円周方向の套嵌位置を上述のように、１つの底辺６ｂが枢軸９と平行となるような、位置決め凹凸部を脚部５とストッパゴム６との間に設けると好適である。
【００１８】
【発明の効果】
本発明によれば、煩雑な精密調整を要することなく容易にドアに取付けることができるにもかかわらず、十分なストッパ機能を確保することができるドアストッパを提供することができる。
【図面の簡単な説明】
【図１】本発明の実施形態のドアストッパを示し、ドアを開状態に保つ状態を示す斜視図である。
【図２】本実施形態のドアストッパを示し、図１の状態を解除した状態を示す斜視図である。
【図３】本実施形態のストッパゴムを示す底面図である。
【図４】本実施形態のストッパゴムを示す縦断面図である。
【図５】本実施形態のストッパゴムおよび脚部を示す図である。
【図６】従来のドアストッパを示す斜視図である。
【図７】ストッパゴムの接地状態を示す図であって、（ａ）はドアストッパを所望高さより高く取付た場合を示し、（ｂ）は所望高さより低く取付けた場合を示す図である。
【符号の説明】
１  ドアストッパ
４  ドア取付板部
５  脚部
６  ストッパゴム
６ａ  側面
６ｂ  底辺
６ｃ  底面
６ｄ  内側空間
１２  平面または凸状曲面
１３  肉厚部
【図１】
2004308311.tif 000003
【図２】
2004308311.tif 000004
【図３】
2004308311.tif 000005
【図４】
2004308311.tif 000006
【図５】
2004308311.tif 000007
【図６】
2004308311.tif 000008
【図７】
2004308311.tif 000009